(57)【要約】【課題】  衣服のサイズ調整は従来より面倒であったし、調整できる幅が狭く、例えば月数の進んだ妊婦用のマタニティドレスを、妊婦体型となっていない時にも身体にフィットするように調整するといったことは不可能であった。また、一度サイズ直しをした衣服を元のサイズに戻すことも従来は困難であった。【解決手段】  左右に分割されるファスナー体の左右それぞれのファスナー体を支持するテープ材に、布地をつまんで固定するクリップが、長手方向に沿って複数個配置されている。ファスナー体としては、スライドファスナーであっても良いし、面ファスナーやホック、リボン紐等であっても良い。【選択図】        図１
2005082905.tif 000002
【特許請求の範囲】
【請求項１】
左右に分割されるファスナー体の左右それぞれのファスナー体を支持するテープ材に、布地をつまんで固定するクリップが、長手方向に沿って複数個配置されているものであることを特徴とするサイズ調整用ファスナー部材。
【請求項２】
ファスナー体は、スライドファスナーである請求項１記載のサイズ調整用ファスナー部材。
【請求項３】
ファスナー体は、面ファスナーである請求項１記載のサイズ調整用ファスナー部材。
【請求項４】
ファスナー体は、リボン紐である請求項１記載のサイズ調整用ファスナー部材。
【請求項５】
ファスナー体は、ホックである請求項１記載のサイズ調整用ファスナー部材。
【発明の詳細な説明】
【技術分野】
【０００１】
本発明は、衣服その他を裁断することなく簡単にそのサイズを切りつめることのできるサイズ調整用ファスナー部材の構造に関するものである。
【背景技術】
【０００２】
衣服のサイズを調整しなければならない状況というものは極く日常的にある。成長期を過ぎている成人に限って言えば、体重の増減による体型の変化への適合が衣服自体の伸縮性や衣服に最初あったゆとり分では追いつかなくなった段階、ということになるが、その最たる例が妊婦である。
【０００３】
妊婦は、月をおって体型が大きく変化する。そこで特に体型に顕著な変化が現れる５ヶ月以降は通常、マタニティドレス（妊婦服）を着用する。このマタニティドレスは、基本的にゆったりとしたサイズの服で、母体と胎児が保護でき、またサイズの調節が簡単にできる、という条件を満たす洋服である。そして家庭着、外出着、フォーマルウェア、と種々の構造のものが製品として出回っている。
【発明の開示】
【発明が解決しようとする課題】
【０００４】
ところがこの中でフォーマルウェアは普段着とは異なり、妊娠期間中に何度も着用する必要があるという女性は限られている。つまり、１、２度程度までの着用のための洋服であると言える。またフォーマルウェアは、普段着とは異なりだらしないデザインは嫌われるので、腹囲寸法が大きい妊婦用のものはそのシルエットをぼかす意味で肩や胸付近のシルエットを強調するようなデザインが好まれる。ところが腹囲寸法ばかりが目立っているが実際には肩や胸付近の寸法も通常は大きくなっている。即ち、マタニティフォーマルウェアは、普段着に比してシビアなサイズが求められる傾向にあるにもかかわらず、そのサイズのおおもとである体型の方は日々目に見えるように変化している、という誠に厄介な状況にある。
【０００５】
勿論妊婦の場合は特別であるとも言えるが、サイズをきめ細かく調整できるような洋服、或いは洋服サイズをきめ細かくサイズ調整できるような製品というものが、潜在的に求められていることは間違いない。例えば、ウェディングドレスをレンタルせず新婦が新調した場合、１度のみの着用しかしないことになるが、仮にサイズ調整が全く自由であるならば、わずかな手直しでマタニティフォーマルウェアとして活用できることになる。そしてその１着は、結婚と妊娠といういずれも女性にとって重大なイベントの双方でその女性を包み込んだ記念品となる。
【特許文献１】特開２００２−３２７３１１
【課題を解決するための手段】
【０００６】
そこで本発明者は、こうした点に鑑み鋭意研究の結果遂に本発明を成したものでありその特徴とするところは、左右に分割されるファスナー体の左右それぞれのファスナー体を支持するテープ材に、布地をつまんで固定するクリップが、長手方向に沿って複数個配置されている点にある。
【０００７】
本発明に係るサイズ調整用ファスナー部材は、一見衣服付属品風の部材であるが、サイズを調整しようとする衣服の適当な位置に、縫合或いは融着といった着脱困難な形で連結されるのではなく、その衣服をつまんで係止されるものであって着脱自在なものである。
【０００８】
本発明に係るサイズ調整用ファスナー部材は、基材であるところの「テープ材」と、これに設けられる「ファスナー体」及び「クリップ」とにより構成されるものである。
【０００９】
「テープ体」は、スライドファスナーを例に説明すると、ファスナーの機能部分である「エレメント」を固定している「テープ」に相当するものであり、並行して配列される一対の長尺物である。大きさや材質に関しては何ら限定はしないが、外観を損なうものはデザイン的に好ましくない。
【００１０】
「ファスナー体」の構造についても特に限定はしないが、開閉が容易でありしかも目立たなくしやすいという意味で、上述した「スライドファスナー」の他に、「面ファスナー」、或いは「ホック」が好適である。また、美麗なものとしやすいという意味では「リボン紐」が好適である。なおスライドファスナーの場合、テープ体同士が完全に離反するオープンタイプのものと、一端が付いているクローズタイプのものがあるが、いずれも採用可能である。
【００１１】
「クリップ」は、衣服などの布地をつまんで固定することができればどのような構造のものであっても良い。勿論他の部材と同様、あまりゴツゴツとした形状のものは外観を損ない着心地も悪くなるので、薄くて嵩張らないものが好ましいと言える。またクリップは、一対のテープ体それぞれの長手方向に沿って複数個配置されている。この個数については限定せず、二個以上であればいくつでも良いものとする。係止作業は面倒となるが、クリップの個数が多くなればなるほど細かなサイズ変更が可能となる。またクリップの取り付け位置は、テープ体の裏面であっても良いし、テープ体に他の部材を付けその部材に取り付けるようにしても良い。このような部材として、設置後ファスナー部分を隠すための覆い布（カバー生地）がある。但し、こうした部材は本発明に不可欠なものではない。
更に、クリップによる挟持力を大きくすることを目的に、つまもうとする布地の裏面側に紐状物をあてがい（フリーであてがっても良いし、接着・縫着などによって強固にあてがっても良い）、布地越しにこの紐状体をつかむようにしても良い。或いは、つまもうとする布地の表側に紐状体をあてがった上で布地の裏面側から布地共々断面Ｃ字形の被覆体を嵌め込みこの紐状体を固定するようにし、この紐状体をクリップでつまむようにしても良い。
【発明の効果】
【００１２】
本発明に係るサイズ調整用ファスナー部材は、以下述べる如き種々の効果を有する極めて高度な発明である。
【００１３】
（１）  衣服のサイズ調整を、特別な縫製技術を要することなく簡単に行なうことができる。
（２）  調整に当たって、元の縫合糸をほどく必要がないし、また、布地を切断することもない。
（３）  一旦調整した衣服のサイズを元のサイズに戻すことが簡単にできる。
【発明を実施するための最良の形態】
【００１４】
以下図面に基づき本発明を更に詳細に説明する。
【実施例１】
【００１５】
図１は本発明に係るサイズ調整用ファスナー部材１（以下「本発明ファスナー部材１」という）の一例を示すものであり、図より明らかなように本発明ファスナー部材１は、二枚のテープ体２、一組のファスナー体３、複数のクリップ４、及びカバー生地５にて構成されるものである。本例のファスナー体３は、エレメント３１、スライダー３２等より構成される、極く一般的なスライドファスナーセットをそのまま利用しており、テープ体２もその市販品の一部である。但し、市販のファスナーセットは衣服等に縫着されて初めて機能するものであるのに対し、本発明ファスナー部材１は縫合という手段は採らない。テープ体２の裏面に固着されたクリップ４によって布地上に固定される。カバー生地５は、衣服に配置されたときに、ファスナー体３を覆い隠し、同時にそれ自体が飾りとなるものである。本例では、適用する衣服と同一素材のもの（共布）を二つ折りにして用いた。同一素材を使用した場合、当然目立たなくはなるが、本発明ファスナー部材１は当該衣服の専用品的傾向が強くなる。汎用性を求める場合にはカバー生地自体を設けなくても良い（図示せず）。
【００１６】
本例のクリップ４は、本体の両側部に縫着のための糸通し孔４３が設けられている点を除くと、ズボン用サスペンダー、ガーターなどに部材として採用されている通常の留金具と基本的な構造は同一である。縫着という手段を採用しないのであれば、糸通し孔４３を有していないものを用いることも可能である。クリップ４は、挟持力が強くまた挟持状態における形状が薄くて凹凸が少ないので、衣服のサイズ調整には適している。即ち、一対の挟持板４１、４１とレバー片４２とで構成されており、このレバー片４２はカムを有しているので、布地を挟んでレバー片４２を閉じるとカムがより強く布地を挟むようになるという構造のものである。
【００１７】
図２は、本発明ファスナー部材１の使用状態の一例を示す概略断面図であり、本例はマタニティドレスをウェディングドレスとして着用できるようにした場合を想定している。予想される最大サイズ（臨月時体型）で作製されたマタニティドレスＭをこの段階では妊婦体型とはなっていない当人が着用した場合、このドレスは胸回り、腹回り等全体的にたるんでいることとなる。そこでドレス着用後まずその余剰分を寄せる。一箇所に寄せても良いが、体型やデザインを勘案し複数箇所に寄せるようにしても良い。
そして、エレメント３１が噛み合った状態の本発明ファスナー部材１を当てがい、該余剰分を内側（体躯側）に隠すようにしてクリップ４でマタニティドレスＭの布地を次々つまんで固定してゆく。
【００１８】
一旦サイズが適正になれば、スライダー３２をスライドさせてファスナー体３を開いてやるだけで、クリップ４を解除することなくマタニティドレスＭを脱ぐことができるし、再度着用するときにはサイズ調整の必要がなくなっている。図３（ａ）（ｂ）は、セパレートタイプのマタニティドレスの上半身側に本発明ファスナー部材１を複数本（図は正面図であり、見えているのは３本であるが、実際には背中側にも２本ある）設置することでマタニティドレスがウェディングドレスになっている例（同図ａ）、及び本発明ファスナー部材１を取設したまま（即ちクリップ４が布地を挟持した状態のまま）ファスナー体３を左右に分割させほぼマタニティドレスの寸法となった状態（同図ｂ）、を概略的に示したものである。
【００１９】
なおここまで、ファスナー体３の構造をスライドファスナーとして説明してきたが、これに代えて面ファスナーやリボン紐、ホック等を用いるようにしても良い（図示せず）。なお、リボン紐の場合はスライドファスナーに代えて使用するようにしても良いが、左右のリボン紐を綺麗に結ぶとそれ自体が装飾効果をもたらすものであるので、スライドファスナーや面ファスナーを用いた上で、更にこれを使用するようにしても良い。
【００２０】
クリップ４で布地をつまむことによってサイズ調整するという本発明においてグリップ４の挟持力は重要であり、多少の力で布地を引っ張ってもズレたり外れたりしないほうが好ましい。ところが、シルクやポリエステルなど滑りの良い布地の場合、クリップ４の挟持力を多少強くしても布地を傷つけるだけでズレにくいものとはなりにくい。図４は、布地のズレを効果的に防止する方法の一例を示すものであり、紐状体６（図示した紐状体５は丸パイプ状であるが、必ずしも中空でなくて良い）を布地（本例ではマタニティドレスＭの布地）の裏側にあてがい、表側から布地共々この紐状体６をつまんだ状態を示している。クリップ４の構造・形状に多少の工夫は必要であるが、紐状体６が存在しているので完全に外れることは少なくなるし、摩擦力が大きく働き、ズレることも少なくなって好ましい。なお本図では、ファスナー体３に直接クリップ３を取り付けており、カバー生地５を省略しているが、勿論カバー生地５を使用するようにしても良い（図示せず）。
またこのズレ止めに関しては、図示した例以外にも種々の方策があるが、布地をクリップ４で直接つまむ、或いはズレ止めを目的として配置される他の部材を介してつまむ、ものは全て本発明に係るサイズ調整用ファスナー部材の利用方法の例に含まれるものである（図示せず）。
【図面の簡単な説明】
【００２１】
【図１】本発明に係るサイズ調整用ファスナー部材の一例を示す概略斜視図である。
【図２】本発明に係るサイズ調整用ファスナー部材の使用方法の一例を示すための概略断面図である。
【図３】（ａ）（ｂ）は本発明に係るサイズ調整用ファスナー部材の使用状態の一例を示すためのいずれも概略正面図である。
【図４】本発明に係るサイズ調整用ファスナー部材による布地の挟持方法の他の一例を示す概略断面図である。
【符号の説明】
【００２２】
１    本発明に係るサイズ調整用ファスナー部材
２    テープ体
３    ファスナー体
３１  エレメント
３２  スライダー
４    クリップ
４１  挟持板
４２  レバー片
４３  糸通し孔
５    カバー生地
６    紐状体
Ｍ    マタニティドレス
【図１】
2005082905.tif 000003
【図２】
2005082905.tif 000004
【図３】
2005082905.tif 000005
【図４】
2005082905.tif 000006